(57)【要約】【課題】パウチの代替が可能で、内容物の補給がしやすいブロー成形薄肉容器を提案する。【解決手段】内容物の充填空間を区画形成するとともに対向する側壁同士を相互に密着させて充填空間の減容を可能とする薄肉の胴体壁部（１）と、この胴体壁部（１）の下端に一体的につながり該胴体壁部（１）を内容物の有無にかかわりなしに起立させる薄肉の底壁部（２）と、前記胴体壁部（１）若しくは底壁部（２）から一体的に突き出しその先端を開放して内容物の注出経路を形成する薄肉の注出部（３）と、前記胴体壁部（１）の上部で胴体壁部（１）の充填空間に内容物を供給する充填部分（４）とを備えたブロー成形スタンディング薄肉容器において、前記注出部（３）の先端に、詰め替えるべき容器の口部に差し込むノズル（３ａ）と、このノズル（３ａ）及び胴体壁部（１）を相互につないで偏平の大径空間を形成する膨出部（３ｂ）を設ける。【選択図】図１
2005067682.tif 000002
【特許請求の範囲】
【請求項１】
内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは底壁部から一体的に突き出しその先端を開放して内容物の注出経路を形成する薄肉の注出部と、前記胴体壁部の上部で胴体壁部の充填空間に内容物を供給する充填部分とを備えたブロー成形スタンディング薄肉容器であって、
前記注出部は、その先端に、詰め替えるべき容器の口部に差し込むノズルと、このノズル及び胴体壁部を相互につないで偏平の大径空間を形成する膨出部からなる、ことを特徴とするブロー成形スタンディング薄肉容器。
【発明の詳細な説明】
【技術分野】
【０００１】
本発明は、合成樹脂製のフィルムや金属製のフィルムにて構成されるパウチの代替に適したブロー成形スタンディング薄肉容器に関するものであり、詰め替え容器内の内容物を、詰め替えるべき容器へ効率よく補給しようとするものである。
【背景技術】
【０００２】
シャンプーやリンス、液体石鹸、化粧料等を入れておく据え置きタイプの容器は内容物の適量注出を可能とするディスペンサーを装着したものが一般に使用されており、このような容器に内容物を補充するに当たっては、構成材料を極力削減すべく合成樹脂製のフィルムや金属製のフィルムを張り合わせたパウチや合成樹脂（例えば延伸ポリプロピレン樹脂）からなる薄肉ブローボトルが詰め替え容器として用いられている（例えば特許文献１、特許文献２参照）。
【特許文献１】特開平１１−１１４９６号公報
【特許文献２】特開２００２−２２５８４２号公報
【発明の開示】
【発明が解決しようとする課題】
【０００３】
ところで、従来の詰め替え容器のうち、パウチは、容器の減容化が可能であり、しかも製造コストの軽減、使用材料の削減を図ることができることから詰め替え用の容器として幅広く使用されているが、該容器は容器自体に張りがないため注出口を詰め替えるべき容器の口部に差し込むことも不可能で詰め替え時に内容物がこぼれ出てしまう不利があった。
【０００４】
この点、ブロー成形ボトルは、薄肉化されていても容器自体にある程度の張りがあり詰め替えるべき容器の口部内に注出部を差し込むことができるので詰め替え容器に適した利点がある反面、注出部は容器の胴体に対して一定の方向に向けて突出しており、容器の傾動姿勢も常に限定されたものとなっていた。
【０００５】
なお、パウチについては、その注出部に硬質の注出管を組付け、該注出管を介して内容物を詰め替える試みがなされているけれども、このようなパウチは構成部材の増加や製造工程の付加が必要不可欠になることから製造コストの上昇を招く不利があり、パウチが本来もっている利点を損ないかねない。
【０００６】
本発明の課題は、パウチの代替が可能で、かつ、容器の注出姿勢の自由度の拡大を図った新規なブロー成形スタンディング薄肉容器を提案するところにある。
【課題を解決するための手段】
【０００７】
本発明は、内容物の充填空間を区画形成するとともに対向する側壁同士を相互に密着させて充填空間の減容を可能とする薄肉の胴体壁部と、この胴体壁部の下端に一体的につながり該胴体壁部を内容物の有無にかかわりなしに起立させる薄肉の底壁部と、前記胴体壁部若しくは底壁部から一体的に突き出しその先端を開放して内容物の注出経路を形成する薄肉の注出部と、前記胴体壁部の上部で胴体壁部の充填空間に内容物を供給する充填部分とを備えたブロー成形スタンディング薄肉容器であって、
前記注出部は、その先端に、詰め替えるべき容器の口部に差し込むノズルと、このノズル及び胴体壁部を相互につないで偏平の大径空間を形成する膨出部からなる、ことを特徴とするブロー成形スタンディング薄肉容器である。
【発明の効果】
【０００８】
注出部を詰め替えるべき容器の口部に差し込むノズルとこのノズル及び胴体壁部を相互につなぐ膨出部にて構成することで、容器の開封に際してノズル及び膨出部を漏斗として使用することができ、詰め替え容器の注出姿勢の自由度が拡がり詰め替え作業がしやすくなる。
【発明を実施するための最良の形態】
【０００９】
以下、図面を用いて本発明をより具体的に説明する。
【００１０】
図１（ａ）（ｂ）は本発明に従う容器の実施の形態を示したものであり、図における１は内容物の充填空間を区画形成するとともに対向する側壁同士を相互に密着させて該充填空間の減容を可能とする薄肉の胴体壁部、２は胴体壁部の下端に一体的につながり該胴体壁部１を内容物の有無にかかわりなしに起立させる薄肉の底壁部である。
【００１１】
また、３は胴体壁部１の上端隅部から一体的に突き出しその先端を鋏によるカットにて開放し内容物の注出経路を形成する薄肉の注出部である。この注出部３は詰め替えるべき容器の口部に差し込むノズル３ａとこのノズル３ａ及び胴体壁部１とを相互につなぐ偏平の大径空間を形成する膨出部３ｂからなる。また、４は胴体壁部１の上部で該注出部３に隣接して設けられ胴体壁部１の充填空間に内容物を供給する充填部分であって、この充填部分４は内容物の充填後にその開放端を熱融着等によって密封することができるようになっている。
【００１２】
内容物を詰め替えるには、まず、鋏等によってノズル３ａの先端のＡラインと膨出部３ｂの付け根部のＢライン及びＣラインに沿ってカットする。そしてノズル３ａを図２に示すように、詰め替えるべき容器の口部に差し込むとともに膨出部３ｂの開口端を図３の二点鎖線で示す如く押し広げながら内容物を補給する。
【００１３】
膨出部３ｂは胴体壁部１と同様に偏平に成形されているので、内容物を補給するに当たって指等によって押し広げるのが肝要になる。
【００１４】
膨出部３ｂを押し広げると、内容物の補給口が拡大されるため、内容物が注ぎ易くなるため、補給作業を比較的楽に行い得る。
【００１５】
本発明に従う容器は、ポリエチレン・ポリプロピレンやポリエチレンテレフタレート等の合成樹脂をブロー成形することによって製造するものであり、折畳みによるコンパクト化を可能とするため、その肉厚は０．０５〜０．５mm程度とするのが好ましい。
【００１６】
図４は本発明に従う容器の他の実施の形態を示したものである。上掲図１では、注出部３を胴体壁部１の上端隅部から一体的に突き出した例として示したが、該注出部３は底壁部２から注出時には突き出され起立時には胴体壁部１内方に向けて陥没可能なポップアップタイプとしてもよく、注出部３の形成位置は用途に応じて種々変更することができる。
【００１７】
容器は単一の樹脂で構成された構造のものや２種以上の樹脂を積層構成したもの、さらにはエチレンビニルアルコール共重合体やナイロンなどのバリア層を含む２種以上の樹脂で構成された多層構造のものが適用可能でありこの点については限定されない。また、底壁部２については、一方の側壁から底壁部２を経てもう一方の側壁につながる凹又は凸状のラインを形成しておくことが可能であり、これにより容器が折り畳み易くなる。
【産業上の利用可能性】
【００１８】
パウチと同様に容器の折畳みによる減容化が可能であり、しかも、内容物を漏斗を使って補給できるので詰め替え作業を行いやすく幅広い用途に使用できる。
【図面の簡単な説明】
【００１９】
【図１】本発明の実施の形態を示した図であり、（ａ）は正面図、（ｂ）は側面図である。
【図２】内容物の補給状況を示した図である。
【図３】内容物の補給状況の説明図である。
【図４】本発明の他の実施の形態を示した図である。
【符号の説明】
【００２０】
１  胴体壁部
２  底壁部
３  注出部
３ａ  ノズル
３ｂ  膨出部
４  充填部分
【図１】
2005067682.tif 000003
【図２】
2005067682.tif 000004
【図３】
2005067682.tif 000005
【図４】
2005067682.tif 000006